(57)【特許請求の範囲】
【請求項１】
一端が開放し、第１の長辺と第１の短辺からなる矩形形状であって、表面に印刷を施された印刷部を有する第１の包装袋で、前記開放した一端は前記第１の包装袋の前記第１の短辺であり、
閉塞した方の前記第１の短辺の中途より前記第１の長辺に平行に溶着し、この溶着した部分は、前記第１の長辺に平行で前記第１の長辺より短くなるようにカットされた第２の長辺と、
この第２の長辺の端部より前記第１の短辺に平行にカットして、前記第２の長辺及び前記第１の短辺より短い第２の短辺を形成し、
前記印刷部は、前記第２の長辺と前記第２の短辺からなる矩形形状内に残るようにカットされるものであり、
前記第２の短辺と前記第２の長辺を有した矩形形状で、カットして形成された前記第２の短辺の一端が開放すると共に、三方が閉塞し、前記第１の包装袋より小さい包装袋を形成する
ことを特徴とする包装袋の形成方法。
【請求項２】
一端が開放し、第１の長辺と第１の短辺からなる矩形形状であって、表面に印刷を施された印刷部を有する第１の包装袋で、前記開放した一端は前記第１の包装袋の前記第１の短辺であり、
閉塞した方の前記第１の短辺の中途より前記第１の長辺に平行に溶着し、この溶着した部分は、前記第１の長辺に平行で前記第１の長辺より短くなるようにカットされた第２の長辺と、
この第２の長辺の端部より前記第１の短辺に平行にカットして、前記第２の長辺及び前記第１の短辺より短い第２の短辺を形成し、
前記印刷部は、前記第２の長辺と前記第２の短辺からなる矩形形状内に残るようにカットされるものであり、
前記第２の短辺と前記第２の長辺を有した矩形形状で、カットして形成された前記第２の短辺の一端が開放すると共に、三方が閉塞し、前記第１の包装袋より小さい包装袋を形成し、
この包装袋内に被包装体を入れ、開放した前記第２の短辺を閉塞する
ことを特徴とする包装方法。
【請求項３】
第１の包装袋は、帯状の包装材を折り曲げ、折り曲げた前記帯状の包装材の幅方向を横断するように間隔を設けて第１の溶着部、第２の溶着部を形成し、この第１の溶着部、第２の溶着部は、それぞれ溶着部を互いに平行になるようにカットして形成される
ことを特徴とする請求項２記載の包装方法。
【発明の詳細な説明】
【０００１】
本発明は、包装袋の形成方法及び包装方法に係り、特に、表面に印刷部を有し、小型の包装袋に好適な包装袋の形成方法及び包装方法に関する。
【０００２】
【従来の技術】
小型の包装袋、例えば、小型の包装袋にマスコット等のアクセサリ−を内蔵し、チェ−ンを介してストラップに取り付けている（図１及び図２参照）。
その際、小型の包装袋にあっては、できるだけ小さいものが要求される場合がある。
かかる場合、矩形形状の包装袋の寸法が、例えば、横約5.4cm 、縦約2.4cm より小さいものは、現状の機械では製造できないという問題点があった。
【０００３】
【発明が解決しようとする課題】
本発明は、上述した問題点を除去するようにした包装袋の形成方法及び包装方法を提供するものである。
【０００４】
【課題を解決するための手段】
上記目的を達成するために、請求項１記載の包装袋の形成方法は、一端が開放し、第１の長辺と第１の短辺からなる矩形形状であって、表面に印刷を施された印刷部を有する第１の包装袋で、前記開放した一端は前記第１の包装袋の前記第１の短辺であり、閉塞した方の前記第１の短辺の中途より前記第１の長辺に平行に溶着し、この溶着した部分は、前記第１の長辺に平行で前記第１の長辺より短くなるようにカットされた第２の長辺と、この第２の長辺の端部より前記第１の短辺に平行にカットして、前記第２の長辺及び前記第１の短辺より短い第２の短辺を形成し、前記印刷部は、前記第２の長辺と前記第２の短辺からなる矩形形状内に残るようにカットされるものであり、前記第２の短辺と前記第２の長辺を有した矩形形状で、カットして形成された前記第２の短辺の一端が開放すると共に、三方が閉塞し、前記第１の包装袋より小さい包装袋を形成するものである。
【０００５】
また、請求項２記載の包装方法は、一端が開放し、第１の長辺と第１の短辺からなる矩形形状であって、表面に印刷を施された印刷部を有する第１の包装袋で、前記開放した一端は前記第１の包装袋の前記第１の短辺であり、閉塞した方の前記第１の短辺の中途より前記第１の長辺に平行に溶着し、この溶着した部分は、前記第１の長辺に平行で前記第１の長辺より短くなるようにカットされた第２の長辺と、この第２の長辺の端部より前記第１の短辺に平行にカットして、前記第２の長辺及び前記第１の短辺より短い第２の短辺を形成し、前記印刷部は、前記第２の長辺と前記第２の短辺からなる矩形形状内に残るようにカットされるものであり、前記第２の短辺と前記第２の長辺を有した矩形形状で、カットして形成された前記第２の短辺の一端が開放すると共に、三方が閉塞し、前記第１の包装袋より小さい包装袋を形成し、この包装袋内に被包装体を入れ、開放した前記第２の短辺を閉塞するものである。
【０００６】
また、請求項３記載の包装方法は、請求項２記載の包装方法において、第１の包装袋は、帯状の包装材を折り曲げ、折り曲げた前記帯状の包装材の幅方向を横断するように間隔を設けて第１の溶着部、第２の溶着部を形成し、この第１の溶着部、第２の溶着部は、それぞれ溶着部を互いに平行になるようにカットして形成されるものである。
【０００７】
【実施例】
本発明の一実施例の包装袋の形成方法及び包装方法を図面を参照して説明する。
１は包装袋で、包装袋１内に被包装体２を収納している。この包装袋１は、チェ−ン３を介して、ストラップ４に取り付けられている。なお、被包装体２は、例えば、名産品を模した小物、キャラクタ−を模した小物、マスコット小物等である（図１及び図２参照）。
また、５は包装袋１の表面に印刷を施された印刷部である。図１乃至図８において、印刷部５は斜線が付されている。
【０００８】
包装袋１を作るには、先ず、例えば、現状の包装袋製造機械で製造できる横約5.4cm 、縦約2.4cm の矩形形状の第１の包装袋１’を利用する（図６参照）。第１の包装袋１’は、一端が開放し、第１の長辺ａ’と第１の短辺ｂ’からなる矩形形状であって、表面に印刷を施された印刷部５を有し、開放した一端は第１の包装袋１’の第１の短辺ｂ’である。
【０００９】
この第１の包装袋１’を製造するには、図３に示すように、透明である包装材Ｈを折り曲げた際、印刷部５が表側と裏側に位置するように施された包装材Ｈを準備する。
次に、周知の包装袋製造機械（図示せず）により、図４に示すように、帯状の包装材Ｈを折り曲げ、折り曲げた帯状の包装材Ｈの幅方向を横断するように間隔を設けて第１の溶着部Ｙ1 、第２の溶着部Ｙ2 を形成し（図５参照）、この第１の溶着部Ｙ1 、第２の溶着部Ｙ2 は、それぞれ溶着部を互いに平行になるようにカットして第１の包装袋１’が形成される（図６参照）。なお、その際、カットは、溶着と同時に行っても良いし、また、溶着した後、カットしても良い。
【００１０】
上記のようにして作られた第１の包装袋１’を更に小さい包装袋１を作るには、図６に示すように、閉塞した方の第１の短辺ｂ’の中途Ａより第１の長辺ａ’に平行に溶着し、この溶着した部分Ａ−Ａは、第１の長辺ａ’に平行で第１の長辺（約5.4cm ）ａ’より短く（例えば、4cm ）なるようにカットして第２の長辺ａを得る。なお、その際、溶着と同時にカットを行っても良いし、溶着した後、カットしても良い。
【００１１】
次に、図６に示すように、第２の長辺ａの端部Ａより第１の短辺ｂ’に平行にＡ−Ｂ線に沿ってカットして、第２の長辺ａ’及び第１の短辺（約2.4cm ）より短い（例えば、約1.1cm ）第２の短辺ｂを得る。
そして、印刷部５は、第２の長辺ａと第２の短辺ｂからなる矩形形状内に残るようにカットされるようにしている。
その結果、第２の短辺ｂと第２の長辺ａを有した矩形形状で、カットして形成された第２の短辺ｂの一端が開放すると共に、三方が閉塞し、第１の包装袋１’より小さい包装袋１が形成される（図７参照）。
次に、包装袋１内に被包装体２を入れ、開放した第２の短辺ｂを閉塞し（閉塞部を図８に×印を付している。）、チェ−ン３を介して、ストラップ４に取り付けるようにしている（図１及び図２参照）。
【００１２】
このように、包装袋１が小さくなっても、先ず、一端が開放し、第１の長辺ａ’と第１の短辺ｂ’からなる矩形形状であって、表面に印刷を施された印刷部５を有する第１の包装袋１’を利用して、この第１の包装袋１’の第１の短辺ｂ’の中途より第１の長辺ａ’に平行に溶着し、この溶着した部分は、第１の長辺ａ’に平行で第１の長辺ａ’より短くなるようにカットして第２の長辺ａを形成し、この第２の長辺ａの端部より第１の短辺ｂ’に平行にカットして、第２の長辺ａ及び第１の短辺ｂ’より短い第２の短辺ｂを形成し、しかも、印刷部５は、前記第２の長辺と前記第２の短辺からなる矩形形状内に残るようにカットして、第２の短辺ｂと第２の長辺ａを有した矩形形状で、カットして形成された第２の短辺ｂの一端が開放すると共に、三方が閉塞し、第１の包装袋１’より小さい包装袋１を形成することができる。
なお、、上述の実施例においては、被包装体２を入れた包装袋１をチェ−ン３を介して、ストラップ４に取り付けるようにしている（図１及び図２参照）が、被包装体２を入れた包装袋１を取り付ける対象は、ストラップ４に限らず、例えば、図９に示す携帯電話４’に直接、又は、図10に示すキ−ホルダ−４”でも良い。
【発明の効果】
請求項１記載の包装袋の形成方法によれば、包装袋が小さくなっても、先ず、一端が開放し、第１の長辺と第１の短辺からなる矩形形状であって、表面に印刷を施された印刷部を有する第１の包装袋を利用して、この第１の包装袋の前記第１の短辺の中途より前記第１の長辺に平行に溶着し、この溶着した部分は、前記第１の長辺に平行で前記第１の長辺より短くなるようにカットして第２の長辺を形成し、この第２の長辺の端部より前記第１の短辺に平行にカットして、前記第２の長辺及び前記第１の短辺より短い第２の短辺を形成し、しかも、前記印刷部は、前記第２の長辺と前記第２の短辺からなる矩形形状内に残るようにカットして、前記第２の短辺と前記第２の長辺を有した矩形形状で、カットして形成された前記第２の短辺の一端が開放すると共に、三方が閉塞し、前記第１の包装袋より小さい包装袋を形成することができる。
【００１３】
また、請求項２記載の包装方法によれば、包装袋が小さくなっても、先ず、一端が開放し、第１の長辺と第１の短辺からなる矩形形状であって、表面に印刷を施された印刷部を有する第１の包装袋を利用して、この第１の包装袋の前記第１の短辺の中途より前記第１の長辺に平行に溶着し、この溶着した部分は、前記第１の長辺に平行で前記第１の長辺より短くなるようにカットして第２の長辺を形成し、この第２の長辺の端部より前記第１の短辺に平行にカットして、前記第２の長辺及び前記第１の短辺より短い第２の短辺を形成し、しかも、前記印刷部は、前記第２の長辺と前記第２の短辺からなる矩形形状内に残るようにカットして、前記第２の短辺と前記第２の長辺を有した矩形形状で、カットして形成された前記第２の短辺の一端が開放すると共に、三方が閉塞し、前記第１の包装袋より小さい包装袋を形成し、この包装袋内に被包装体を入れ、開放した前記第２の短辺を閉塞して包装することができる。
【図面の簡単な説明】
【図１】図１は、本発明の一実施例の方法によって得られた包装袋の使用例を示す概略的斜視図である。
【図２】図２は、図１の一部を拡大して示す概略的一部拡大斜視図である。
【図３】図３は、本発明の一実施例の包装袋の形成方法に使用される包装材の概略的斜視図である。
【図４】図４は、図３の包装材を折り曲げる過程を示す概略的斜視図である。
【図５】図５は、折り曲げた包装材を溶着して切断する過程を示す概略的平面図である。
【図６】図６は、第１の包装袋を溶着して切断する過程を示す概略的平面図である。
【図７】図７は、包装袋に被包装体を入れる過程を示す概略的斜視図である。
【図８】図８は、被包装体を包装袋の開放端を閉塞した状態の概略的平面図である。
【図９】図９は、図１記載の使用例と異なる他の使用例を示す概略的斜視図である。
【図１０】図１０は、図９記載の使用例と異なる他の使用例を示す概略的斜視図である。
【符号の説明】
１        包装袋
１’      第１の包装袋
５        印刷部
ａ’      第１の長辺
ａ        第２の長辺
ｂ’      第１の短辺
ｂ        第２の短辺
【図１】
0003669952.tif 000002
【図２】
0003669952.tif 000003
【図３】
0003669952.tif 000004
【図４】
0003669952.tif 000005
【図５】
0003669952.tif 000006
【図６】
0003669952.tif 000007
【図７】
0003669952.tif 000008
【図８】
0003669952.tif 000009
【図９】
0003669952.tif 000010
【図１０】
0003669952.tif 000011